(57)【要約】【課題】凹凸屋根材を流れ方向に仕上がりよく接続でき、凹凸屋根材の運搬性を向上させることができる凹凸屋根材の接続構造を提供する。【解決手段】本発明は、凹部４２（５２）と凸部４３（５３）とが軒方向に繰り返し形成された凹凸屋根材３の接続構造である。この接続構造は、第１の凹凸屋根材４と、この第１の凹凸屋根材４の水上側の端部に対向配置された第２の凹凸屋根材５と、接続用捨板６とを備える。接続用捨板６は、第１の凹凸屋根材４と第２の凹凸屋根材５との接合部１３の下方に配置される。接続用捨板６は、凹条６８と凸条６９とが軒方向に繰り返し形成される。凹条６８は、第１の凹凸屋根材４の凹部４２と第２の凹凸屋根材５の凹部５２とを接続する。凸条６９は、第１の凹凸屋根材４の凸部４３と第２の凹凸屋根材５の凸部５３とを接続する。【選択図】図２
2016008446.tif 000002
【特許請求の範囲】
【請求項１】
凹部と凸部とが軒方向に繰り返し形成された凹凸屋根材の接続構造であって、
第１の凹凸屋根材と、
この第１の凹凸屋根材の水上側の端部に接合された第２の凹凸屋根材と、
前記第１の凹凸屋根材と前記第２の凹凸屋根材との接合部の下方に配置された接続用捨板と
を備え、
前記接続用捨板は、凹条と凸条とが軒方向に繰り返し形成されたものであり、
前記凹条が前記第１の凹凸屋根材の前記凹部と前記第２の凹凸屋根材の前記凹部とを接続し、
前記凸条が前記第１の凹凸屋根材の前記凸部と前記第２の凹凸屋根材の前記凸部とを接続する
ことを特徴とする凹凸屋根材の接続構造。
【請求項２】
前記第１の凹凸屋根材および前記第２の凹凸屋根材は、軒方向に並ぶ複数の屋根材を有しており、
前記接続用捨板は、軒方向に並ぶ前記複数の屋根材同士を軒方向に位置決めする
ことを特徴とする請求項１記載の凹凸屋根材の接続構造。
【請求項３】
前記接続用捨板が、前記凹凸屋根材の屋根下地である野地板に固定されている
ことを特徴とする請求項１または請求項２に記載の凹凸屋根材の接続構造。
【発明の詳細な説明】
【技術分野】
【０００１】
本発明は、凹凸屋根材の接続構造に関する。
【背景技術】
【０００２】
一般に、凹凸屋根材や折板屋根材，縦平屋根材等の金属製の縦葺き屋根材は、屋根勾配方向においては継ぎ目のない一枚の屋根材として施工される。ところが、このような金属製の縦葺き屋根材は、工場や体育館などの大型の建物に用いられることが多いため、長手方向に長いものであり、成形した状態では運搬等ができない。このため、大型の建物に用いられる金属製の縦葺き屋根材は、例えば、ロール成形機とロール状の金属板（いわゆるフープ材）とを現場に搬入し、現場でロール成形機によって成形しながら、取り付け施工される。
【０００３】
ところで、このような縦葺き屋根材は、住宅家屋に用いられる場合もある。住宅家屋における縦葺き屋根材の施工は、ロール成形機を搬入できる程の敷地面積が確保できない場合が多く、トラック等により屋根材を現場に運搬して行われる。なお、従来の住宅家屋においては、切妻屋根や寄棟屋根が主流であるため、軒棟方向の長さが短く、従って、トラック等で運搬可能な大きさの屋根材を使用することができる。
【０００４】
しかしながら、近年、太陽光パネルの普及に伴い、片流れ屋根等のように一の屋根面の面積が大きな屋根を有する住宅家屋が増え、また、大型の住宅家屋も増えてきている。このため、家屋の屋根の軒棟方向の長さが、運搬可能な屋根材よりも長いケースが増えてきている。
【０００５】
ここで、縦葺き外装材を流れ方向に連結する構造が、特許文献１に開示されている。この特許文献１記載の外装材は、中央の面板部の左右側片に内側立上り部が設けられた、いわゆる縦平屋根材である。
【０００６】
この外装材の水上側の端部には、他の外装材の水下側の端部が、上方から重ねることで連結される。これにより、この特許文献１記載の屋根構造は、複数の縦葺き外装材が流れ方向に沿って連結されて構成されている。
【先行技術文献】
【特許文献】
【０００７】
【特許文献１】特開平９−１２５６２１号公報
【発明の概要】
【発明が解決しようとする課題】
【０００８】
ところでこの外装材は、面板部の幅方向の両端の内側立上り部が左右方向へ撓みやすい構造となっている。このため、この特許文献１記載の外装材においては、流れ方向に複数の外装材を連結するに当たり、外装材同士を上下に重ねることができる。
【０００９】
しかしながら、例えば、凹部と凸部とが軒方向に繰り返し形成された凹凸屋根材は、凹部の左右方向の両端に凸部が連続し、さらに凹部が連続しているため、凹部や凸部が変形しにくい構造となっている。このため、この凹凸屋根材においては、流れ方向に連結しようとしても、端部同士を仕上がりよく重ね合わせることができなかった。
【００１０】
本発明は、上記事情に鑑みてなされたものであり、その目的とするところは、凹凸屋根材を流れ方向に仕上がりよく接続できて、凹凸屋根材の運搬性を向上させることができる凹凸屋根材の接続構造を提供することにある。
【課題を解決するための手段】
【００１１】
本発明の凹凸屋根材の接続構造は、凹部と凸部とが軒方向に繰り返し形成された凹凸屋根材の接続構造であって、第１の凹凸屋根材と、この第１の凹凸屋根材の水上側の端部に接合された第２の凹凸屋根材と、前記第１の凹凸屋根材と前記第２の凹凸屋根材との接合部の下方に配置された接続用捨板とを備え、前記接続用捨板は、凹条と凸条とが軒方向に繰り返し形成されたものであり、前記凹条が前記第１の凹凸屋根材の前記凹部と前記第２の凹凸屋根材の前記凹部とを接続し、前記凸条が前記第１の凹凸屋根材の前記凸部と前記第２の凹凸屋根材の前記凸部とを接続することを特徴とする。
【発明の効果】
【００１２】
本発明の凹凸屋根材の接続構造によれば、凹凸屋根材を流れ方向に仕上がりよく接続できて、凹凸屋根材を運搬可能な長さにすることができる。この結果、凹凸屋根材の運搬性を向上させることができる。
【図面の簡単な説明】
【００１３】
【図１】本実施形態の凹凸屋根材の接続構造を適用した住宅家屋の全体斜視図である。
【図２】本実施形態の凹凸屋根材の接続構造の要部斜視図である。
【図３】本実施形態の接続用捨板の斜視図である。
【図４】本実施形態の凹凸屋根材の接続構造の施工方法を説明する斜視図である。
【図５】本実施形態の凹凸屋根材の接続構造の施工方法を説明する斜視図である。
【図６】本実施形態の凹凸屋根材の接続構造の施工方法を説明する斜視図である。
【発明を実施するための形態】
【００１４】
以下、本発明の実施形態について添付図面に基づいて説明する。
【００１５】
本実施形態の屋根１は、図１に示すように、住宅家屋の屋根である。住宅家屋の屋根１は、例えば、片流れ屋根により構成される。屋根１は、棟１１と軒１２とを有している。棟１１は、屋根１の最も高い箇所である。また、軒１２は、屋根１において外壁面から突出した箇所であり、屋根１の最も低い箇所である。屋根１は、軒棟方向に屋根勾配を有している。
【００１６】
以下、軒棟方向に平行な方向を屋根勾配方向として定義し、屋根勾配方向のうち棟１１から軒１２に向かう方向を流れ方向として定義する。また、屋根１における軒１２側を水下側とし、屋根１における棟１１側を水上側として定義する。また、屋根勾配方向に直角な水平方向を軒方向として定義する。
【００１７】
屋根１は、図２に示すように、凹凸屋根材３と、屋根下地２（図４）と、接続用捨板６とを備えている。屋根下地２は、凹凸屋根材３の下地となり、野地板２１・垂木（図示せず）・母屋（図示せず）等により構成される。屋根下地２の上面（つまり、野地板２１の上面）は、棟１１から軒１２に向かって下り傾斜している。
【００１８】
凹凸屋根材３は、金属製の屋根材であり、屋根下地２の上面に載せるようにして取り付けられる。凹凸屋根材３は、金属板をプレス機やロール成型機等により曲げ加工することで形成されている。
【００１９】
屋根１は、屋根勾配方向に複数の凹凸屋根材３が連結されている。本実施形態の屋根１は、屋根勾配方向に２つの凹凸屋根材３が連結されている。以下、屋根勾配方向において、水下側の凹凸屋根材３を第１の凹凸屋根材４とし、第１の凹凸屋根材４の棟１１側に配置される凹凸屋根材３を第２の凹凸屋根材５として説明する。
【００２０】
第１の凹凸屋根材４は、軒方向に並ぶ複数の屋根材により構成されている（以下、第１の凹凸屋根材４を構成する屋根材を、第一屋根材４１という）。また、第２の凹凸屋根材５も、軒方向に並ぶ複数の屋根材により構成されている（以下、第２の凹凸屋根材５を構成する屋根材を、第二屋根材５１という）。
【００２１】
第一屋根材４１は、屋根勾配方向に長さを有し、軒方向に幅を有している。第一屋根材４１は、凹部４２と凸部４３とが軒方向に繰り返されるよう連続して形成されている。この凹部４２及び凸部４３は、屋根勾配方向に伸びている。第一屋根材４１は、長さ方向に所定の大きさとなるよう形成されている。なお、ここで言う所定の大きさとは、トラックによって運搬が容易な長さ（例えば、７ｍ）である。
【００２２】
第二屋根材５１は、第一屋根材４１の棟１１側に配置されている。第二屋根材５１の水下側の端部は、第一屋根材４１の水上側の端部に突き合わられせた状態で配置されている（以下、この突き合わせた部分を接合部１３という）。言い換えると、第二屋根材５１は、第一屋根材４１の水上側の端部に接合される。
【００２３】
第二屋根材５１も、第一屋根材４１と同様、凹部５２と凸部５３とが軒方向に繰り返されるよう連続して形成されている。第二屋根材５１の凹部５２の長さ方向は、屋根勾配方向に平行である。第二屋根材５１は、第一屋根材４１と同様、長さ方向が屋根勾配方向と平行となり、幅方向が軒方向に平行となるよう配置される。なお、第二屋根材５１は、第一屋根材４１と同じ構造であるため説明を省略する。
【００２４】
この第１の凹凸屋根材４と第２の凹凸屋根材５とは、接続用捨板６によって連結される。
【００２５】
接続用捨板６は、第１の凹凸屋根材４と第２の凹凸屋根材５との接合部１３の下方に配置される。この接続用捨板６は、第１の凹凸屋根材４と第２の凹凸屋根材５とを連結し、且つ、第一屋根材４１および第二屋根材５１を軒方向に位置決めする。この接続用捨板６は、野地板２１に固着具を介して固定される。
【００２６】
接続用捨板６は、図３に示すように、軒方向に並ぶ複数の接続部６１を有する。接続部６１は、第一屋根材４１と第二屋根材５１とを接続する部分である。以下、複数の接続部６１は、図３の紙面左側から、第一接続部６２，第二接続部６３，第三接続部６４，第四接続部６５，第五接続部６６として説明する。
【００２７】
各接続部６１は、凹条６８と凸条６９とが軒方向に繰り返されるよう連続して形成されている。各接続部６１間には、平坦部６７が設けられている。
【００２８】
凹条６８は、屋根勾配方向に長さを有し、軒方向に幅を有している。凹条６８の上面の幅は、第一屋根材４１および第二屋根材５１の凹部５２の下面の幅よりも長く形成される。凹条６８は、水上側の端部に、第２の凹凸屋根材５の凹部５２が上方から嵌め込まれ、水下側の端部に、第１の凹凸屋根材４の凹部４２が上方から嵌め込まれる。
【００２９】
凸条６９は、屋根勾配方向に長さを有し、軒方向に幅を有している。凸条６９の上面の幅は、第一屋根材４１および第二屋根材５１の凸部５３の下面の幅よりも短く形成される。凸条６９は、水上側の端部に、第２の凹凸屋根材５の凸部５３が上方から嵌め込まれ、水下側の端部に、第１の凹凸屋根材４の凸部４３が上方から嵌め込まれる。
【００３０】
接続用捨板６は、例えば、鋼板などの金属板により形成されており、プレス加工などの曲げ加工によって一体に形成される。なお、この接続用捨板６は、金属板に限らず合成樹脂によって成形されてもよい。
【００３１】
接続用捨板６は、屋根下地２に固定され、この状態で第１の凹凸屋根材４と第２の凹凸屋根材５とが上方から嵌め込まれる。第１の凹凸屋根材４と第２の凹凸屋根材５とが接続用捨板６の上方から取り付けられると、第１の凹凸屋根材４の凸部４３と、第２の凹凸屋根材５の凸部５３とが接続され、第１の凹凸屋根材４の凹部４２と、第２の凹凸屋根材５の凹部５２とが接続される。
【００３２】
これにより、第１の凹凸屋根材４の凹部４２と第２の凹凸屋根材５の凹部５２とが通じることで、凹部４２，５２を流下する雨水を軒先にまで導くことができる。しかも、凹条６８の側面は、屋根勾配方向にまっすぐ傾斜しているから、凹部４２，５２を流れる雨水をスムーズに軒先に導くことができる。
【００３３】
本実施形態の凹凸屋根材３は、例えば、次のようにして設置される。
【００３４】
施工者は、屋根下地２である野地板２１に接続用捨板６を固定する。ここで、接続用捨板６には、図３に示すように、第一切欠部７０と、第二切欠部７１とが設けられている。第一切欠部７０は、接続用捨板６の長さ方向（軒方向）の両端において、幅方向（屋根勾配方向）の中央に設けられている。第二切欠部７１は、各平坦部６７の屋根勾配方向の両端において、軒方向の中央に設けられる。施工者は、図４に示すように、野地板２１の屋根勾配方向の中央に、軒方向に平行な横罫書き線８１を引き、また、屋根勾配方向に平行な縦罫書き線８２を複数引く。そして、施工者は、第一切欠部７０を横罫書き線８１に合わせ、第二切欠部７１を縦罫書き線８２に合わせるようにして接続用捨板６を配置し、野地板２１に固着具を介して固定する。なお、屋根１の大きさに応じて、接続用捨板６は軒方向に沿って複数設置される。
【００３５】
次いで、施工者は、接続用捨板６の屋根勾配方向の両端部に、軒方向に連続するようにシーリング材９１を配置する（図５参照）。この状態で、施工者は、接続用捨板６の第一接続部６２の水下側端部に、第一屋根材４１を被せる。このとき施工者は、第一屋根材４１の水上側の端縁を第一切欠部７０に合わせるだけで、第一屋根材４１を凸条６９および凹条６８に沿って配置でき、すなわち、簡単に、第一屋根材４１の長さ方向を屋根勾配方向に平行に配置することができる。
【００３６】
次いで施工者は、第二屋根材５１の水下側の端部を、接続用捨板６の水上側端部に被せる。このとき、施工者は、第二屋根材５１の水下側の端縁を第一屋根材４１の水上側の端縁に突き合わせる。
【００３７】
次いで、施工者は、接続用捨板６の第二接続部６３に、上記と同じように第一屋根材４１と第二屋根材５１とを設置し、引き続き、第三接続部６４、第四接続部６５、第五接続部６６に、順に第一屋根材４１と第二屋根材５１とを設置する。
【００３８】
この後、施工者は、図６に示すように、隣り合う第一屋根材４１の間、及び隣り合う第二屋根材５１の間に、桟木９２を配置する。この状態で桟木９２は、接続用捨板６の平坦部６７上に位置する。桟木９２は、屋根１の屋根勾配方向の全長に亘る長さに形成されている。桟木９２は、木材によって構成されてもよいが、断面矩形状の樹脂材によって形成されてもよい。次いで施工者は、桟木９２上にキャップ部材９３を被せる。キャップ部材９３は、断面逆Ｕ字状をしており、屋根１の屋根勾配方向の全長に亘る長さに形成されている。これにより、屋根１が完成する。
【００３９】
以上、説明したように本実施形態の凹凸屋根材３の接続構造は、凹部４２（５２）と凸部４３（５３）とが軒方向に繰り返し形成された凹凸屋根材３の接続構造である。この接続構造は、第１の凹凸屋根材４と、この第１の凹凸屋根材４の水上側の端部に接合された第２の凹凸屋根材５と、接続用捨板６とを備えている。接続用捨板６は、第１の凹凸屋根材４と第２の凹凸屋根材５との接合部１３の下方に配置される。この接続用捨板６は、凹条６８と凸条６９とが軒方向に繰り返し形成されている。凹条６８は、第１の凹凸屋根材４の凹部４２と第２の凹凸屋根材５の凹部５２とを接続する。凸条６９は、第１の凹凸屋根材４の凸部４３と第２の凹凸屋根材５の凸部５３とを接続する。
【００４０】
このように、本実施形態の凹凸屋根材３の接続構造は、第１の凹凸屋根材４と第２の凹凸屋根材５とが接続用捨板６によって接続される。このため、第１の凹凸屋根材４と第２の凹凸屋根材５とを運搬可能な長さに形成しても、屋根勾配方向に長い屋根１を形成することができる。しかも、接続用捨板６が凹凸屋根材３の下方に配置されているため、接続用捨板６が露出せずに外観を向上でき、仕上がりよく屋根１材同士を接続できる。
【００４１】
しかも、本実施形態の凹凸屋根材３の接続構造は、接続用捨板６の凸条６９と凹条６８とが屋根勾配方向に伸びているため、通し吊子を用いなくても、第１の凹凸屋根材４と第２の凹凸屋根材５との長さ方向を屋根勾配方向に平行に設置できる。この結果、施工性が向上するだけでなく、通し吊子と省くことができて部材点数を減らすこともできる。
【００４２】
また、本実施形態の第１の凹凸屋根材４および第２の凹凸屋根材５は、軒方向に並ぶ複数の屋根１材を有している。接続用捨板６は、軒方向に並ぶ複数の屋根１材同士を軒方向に位置決めする。
【００４３】
このため、本実施形態の凹凸屋根材３の接続構造によれば、１つの接続用捨板６に対して、軒方向に並ぶ複数の屋根１材を簡単に位置決めすることができて、設置の作業性を向上させることができる。
【００４４】
また、本実施形態の凹凸屋根材３の接続構造は、接続用捨板６が、凹凸屋根材３の屋根下地２である野地板２１に固定されている。
【００４５】
このため、接続用捨板６を所定の位置に設置するだけで、第１の凹凸屋根材４と第２の凹凸屋根材５を簡単に整然と配置できる。
【００４６】
なお、実施形態１，２の屋根１は、片流れ屋根であったが、切妻屋根や寄棟屋根であってもよく、特に限定されない。
【００４７】
また、本実施形態の接続構造は、接続用捨板６の第一切欠部７０に第一屋根材４１の水上側の端縁を合わせ、さらに、この水上側の端縁に揃うように、隣り合う第一屋根材４１の水上側の端縁を配置した。しかし、例えば、接続用捨板６の一対の第一切欠部７０同士を結ぶ線を接続用捨板６に描き、その線に第一屋根材４１の水上側の端縁を揃えてもよい。
【符号の説明】
【００４８】
１      屋根
１３    接合部
２      屋根下地
２１    野地板
３      凹凸屋根材
４      第１の凹凸屋根材
４１    第一屋根材
４２    凹部
４３    凸部
５      第２の凹凸屋根材
５１    第二屋根材
５２    凹部
５３    凸部
６      接続用捨板
６１    接続部
６７    平坦部
６８    凹条
６９    凸条
７０    第一切欠部
７１    第二切欠部
８１    横罫書き線
８２    縦罫書き線
９１    シーリング材
９２    桟木
９３    キャップ部材
【図１】
2016008446.tif 000003
【図２】
2016008446.tif 000004
【図３】
2016008446.tif 000005
【図４】
2016008446.tif 000006
【図５】
2016008446.tif 000007
【図６】
2016008446.tif 000008